(57)【要約】【課題】  本発明は、設置が容易であると共に、家具の転倒及び扉の開放を防止することのできるエアバッグ装置を提供することにある。【解決手段】  この発明は、エアバッグと、揺れを感知する揺れ感知手段と、該揺れ感知手段によって揺れを感知した時にエアバッグを膨出させるエアバッグ膨出手段とによって少なくとも構成される家具転倒防止装置において、前記エアバッグは前記エアバッグ膨出手段が作動した時に、家具上部と天井の間に膨出して家具上部を固定する固定部と、家具前面に突出して家具前面を保持する保持部によって構成されることにある。【選択図】    図４
2006304815.tif 000002
【特許請求の範囲】
【請求項１】
エアバッグと、揺れを感知する揺れ感知手段と、該揺れ感知手段によって揺れを感知した時にエアバッグを膨出させるエアバッグ膨出手段とによって少なくとも構成される家具転倒防止装置において、
前記エアバッグは、前記エアバッグ膨出手段が作動した時に、家具上部と天井の間に膨出して家具上部を固定する固定部と、家具前面に突出して家具前面を保持する保持部とによって構成されることを特徴とする家具転倒防止装置。
【請求項２】
前記エアバッグ膨出手段は、高圧気体が収容されたタンクと、該タンクと前記エアバッグとの間に配された開閉バルブと、前記揺れ感知手段によって感知された揺れが、所定値以上の場合に前記開閉バルブを開く制御手段によって構成されることを特徴とする請求項１記載の家具転倒防止装置。
【請求項３】
エアバッグの保持部は家具の扉の前面に膨出することを特徴とする請求項１又は２記載の家具転倒防止装置。
【発明の詳細な説明】
【技術分野】
【０００１】
本発明は、地震の発生によって家具等の転倒防止を行うエアバッグ装置に関する。
【背景技術】
【０００２】
特許文献１に開示されるエアバッグ装置は、地震の発生によって家具類やＯＡ機器が転倒しそうになった時に膨張し、家具類やＯＡ機器の転倒を防止または転倒衝撃を吸収することができ、家具類やＯＡ機器の破損を防止できるようにしたものであり、外箱の内部にスライド自在に設けられ、傾きによって外箱から少なくとも一部が突出する内箱を設け、この内箱の内部に収縮状態に収納されたエアバッグと、前記外箱の内部に設けられ、前記エアバッグとチューブおよび電磁弁を介して接続され、該電磁弁の開弁時に前記エアバッグにエアーを供給して瞬時に膨張させるエアーボンベと、前記外箱の内部に設けられ地震を感知したとき前記電磁弁を開弁させる感震器とを設けたものである。
【０００３】
特許文献２開示されるエアバッグ装置は、地震時における家具の転倒防止機構を見栄えよく家具に組込むことを目的とし、家具の上部内に、エアバッグを折畳んで収納する格納スペースを形成し、通常時同スペースを開閉扉で閉鎖しておく構成とすることにより、転倒防止機構の露出を防止でき、室内美観の良好化を可能にしたことにある。
【特許文献１】実用新案第３０１７５１５公報
【特許文献２】特開平９―２６６８２５公報
【発明の開示】
【発明が解決しようとする課題】
【０００４】
上記特許文献１に開示されるものにおいては、感震式エアバッグ装置を家具類やＯＡ機器の一部に取付け、ある一定以上の強い地震が発生したとき外箱から内箱が突出すると共に、感震器のスイッチがオンして電磁弁が開弁し、エアーボンベ内の圧縮されたエアーがチューブを介してエアバッグに供給され、エアバッグが膨張して転倒しそうになった家具類やＯＡ機器の転倒を防止または転倒衝撃を吸収するものであるが、実際家具等の転倒における衝撃を緩和するものであるため、家具を元の位置に戻す等の作業が生じる共に、家具の扉が開いて内部のものが飛び出すことを防止することができないという問題点を持っている。
【０００５】
また、上記特許文献２に開示されるものにおいては、家具において、同家具の上部内にエアバッグを折畳んだ状態で収納可能な格納スペースを形成され、同格納スペースの上面を通常時閉鎖する開閉扉を設け、地震等の振動が検知されたときに、エアバッグが膨張し家具の上部と同家具の設置されている建造物の天井との間で突張ることにより同家具の転倒を防止するものであるが、家具を突張ることで転倒を防止することはできるが、扉が開いて家具の内容物が飛散するという不具合が生じる。また、家具上部にエアバッグを組込式タイプなので、メンテナンスなどの作業は、家具上部で行うことになるため、非常に困難であるという問題点もある。さらに、組込式のため、家具から外すことができないことから、家具と共に廃棄する必要が生じるが、エアバックを膨出させるためのガスを抜き取り作業が必要となるという問題点も生じる。
【０００６】
以上のことから、本発明は、設置が容易であると共に、家具の転倒及び扉の開放を防止することのできるエアバッグ装置を提供することにある。
【課題を解決するための手段】
【０００７】
したがってこの発明は、エアバッグと、揺れを感知する揺れ感知手段と、該揺れ感知手段によって揺れを感知した時にエアバッグを膨出させるエアバッグ膨出手段とによって少なくとも構成される家具転倒防止装置において、前記エアバッグは、前記エアバッグ膨出手段が作動した時に、家具上部と天井の間に膨出して家具上部を固定する固定部と、家具前面に突出して家具前面を保持する保持部とによって構成されることにある。
【０００８】
また、前記エアバッグ膨出手段は、高圧気体が収容されたタンクと、該タンクと前記エアバッグとの間に配された開閉バルブと、前記揺れ感知手段によって感知された揺れが、所定値以上の場合に前記開閉バルブを開く制御手段によって構成されることが望ましい。尚、エアバッグ膨出手段として、自動車用のエアバックに使用されるアジ化ナトリウムを使用することも可能である。
【０００９】
エアバッグの保持部は家具の扉の前面に突出することが望ましい。
【発明の効果】
【００１０】
したがって、この発明によれば、地震発生時に、エアバッグが膨出し、エアバッグの固定部によって家具の転倒が防止されると同時に、エアバッグの保持部が家具の扉の開放を防止することができるため、家具内の収納物の飛散を防止することができ、さらに室内に滞在する人の安全を確保することができるものである。また、万一家具が転倒した場合にも、前記保持部が家具転倒時の衝撃を緩和することができるため、家具の破損を防止できると共に、人に対しても衝撃緩和がなされるので、事故を防止できる。
【発明を実施するための最良の形態】
【００１１】
以下、この発明の実施例について図面により説明する。
【実施例１】
【００１２】
本願発明の実施例１に係る家具転倒防止装置１は、図１に示すように、内部に揺れ感知センサー２と、高圧ガスタンク３と、エアバッグ３１が収納されるエアバッグ収納部５と、前記高圧ガスタンク３と前記エアバッグ３１との間に配されるバルブ４と、この家具転倒防止装置１の制御を司る電気回路基板が収容されたコントロールパネル７とを少なくとも具備する。
【００１３】
この家具転倒防止装置１は、図２に示されるように、家具１０の上面部１１に載置するだけで良く、特に家具１０が扉１２を有する場合には、その扉１２の召合せ部分１３の上部に配置することが望ましい。しかしながら、召合せ部分１３より横側であっても、扉１２の片側だけを保持することができるので、収納物の飛び出しを半減させることができる。尚、前記家具転倒防止装置１は、家具１０の上面部１１に両面テープ、ネジ止め等の固定手段によって固定させることもできる。
【００１４】
前記エアバッグ収納部５の膨出口６から膨出するエアバッグ３１は、例えば図３及び図４に示すように、家具の上面部１１とその上方にある天井部２０の間に膨出してその間を閉塞する固定部３２と、この固定部３２から延出して家具１０の前面を保持する保持部３３とによって構成される。この保持部３３は、家具の前面を保持すると同時に、前記扉１２の召合せ部１３側に膨出して扉の開放を防止する機能を有する。
【００１５】
以上の構成により、前記揺れ感知センサー２が揺れを感知した場合、揺れ信号をコントロールパネル７に出力する。このコントロールパネル７は、少なくとも中央演算処理装置（ＣＰＵ）、ランダムアクセスメモリ（ＲＡＭ）、読み出し専用メモリ（ＲＯＭ）、入出力ポート（Ｉ／Ｏ）等を具備し、前記揺れ感知センサー２から出力された揺れ信号の大きさを判定し、この家具１０が倒れる大きさの揺れであるかどうかを判定する。この判定によって、前記揺れ感知センサー２によって感知された揺れ（揺れ信号の大きさ）が規定レベル以上であると判定された場合、前記高圧ガスタンク３とエアバッグ３１との間に配された前記バルブ４を開放する制御信号を出力する。これによって、前記高圧ガスタンク３内のガスが急激に前記エアバッグ３１に供給され、エアバッグ３１を膨張させ、膨出口６から前記エアバックが膨張して上方に飛び出す。この飛び出したエアバッグ３１の固定部３２によって家具１０の上面部１１と天井部２０との間が閉塞されると同時に、保持部３３が家具の転倒を防止すると共に、前記保持部３３が家具１０の扉１２の召合せ部１３を固定して扉が開くのを防止するものである。
【００１６】
これによって、家具１０の転倒防止と前記扉１２の開放が防止されるので、家具の保護と内容の飛散、転倒による人的被害を軽減することができるものである。
【００１７】
また、万一家具１０が転倒した場合にも、前記保持部３３が家具１０と床面の間に介在して転倒の衝撃を緩和することができるので、家具１０の破損を防止できる。さらに、家具転倒時において最も負荷の大きい家具上部を保持部３３によって保護できるので、家具の転倒における人に対する被害も防止することができる。
【図面の簡単な説明】
【００１８】
【図１】本願発明の実施例に係る家具転倒防止装置の概略構成図である。
【図２】本願発明の実施例に係る家具転倒防止装置の概略配置図である。
【図３】本願発明の実施例に係る家具転倒防止装置の膨出後の斜視図である。
【図４】本願発明の実施例に係る家具転倒防止装置の膨出後の説明図である。
【符号の説明】
【００１９】
１  家具転倒防止装置
２  揺れ感知センサー
３  高圧酸素タンク
４  バルブ
５  エアバッグ収納部
６  膨出口
１０  家具
１１  上面部
１２  扉
１３  召合せ部
３１  エアバッグ
３２  固定部
３３  保持部
【図１】
2006304815.tif 000003
【図２】
2006304815.tif 000004
【図３】
2006304815.tif 000005
【図４】
2006304815.tif 000006